(57)【要約】【課題】エンコード処理、デコード処理で使用するメモリにて消費する電力を低減し、記録再生装置としての低消費電力化を実現する。【解決手段】エンコーダ１１３、デコーダ１１１，１１２は動作する際に中間データを保持するためのメモリ１４，１５を有する。クロック制御部１１５は、使用するメモリにのみクロックを供給するように制御し、又はメモリに供給するクロックの周波数を制御する。メモリ電源制御部１８は、使用するメモリにのみ電源を供給するように制御する。さらに装置に供給される電源が電池である場合であってトランスコード処理するときには、クロック制御部１１５は、メモリへのクロックの供給を停止する。【選択図】図１
2011259466.tif 000002
【特許請求の範囲】
【請求項１】
第１及び第２の記録メディアを装着しこれに映像音声信号を記録及び再生する記録再生装置において、
入力する映像音声信号を圧縮符号化して上記第１又は第２の記録メディアに記録するエンコード部と、
上記第１又は第２の記録メディアから映像音声信号を再生し伸長復号化して出力するデコード部と、
上記第１の記録メディアから再生された映像音声信号を伸長復号化した後、再度圧縮符号化して上記第２の記録メディアに記録するトランスコード部と、
上記エンコード部、上記デコード部及び上記トランスコード部が動作する際に中間データを保持するメモリと、
上記メモリに供給するクロックの周波数を制御するクロック制御部を備え、
該クロック制御部は、上記エンコード部又は上記デコード部が動作するときは供給するクロックの周波数を低くし、上記トランスコード部が動作するときは供給するクロックの周波数を高くするように制御することを特徴とする記録再生装置。
【請求項２】
請求項１に記載の記録再生装置であって、
さらに、当該装置に供給される電源が電池であるか外部電源であるかを判別する電源判別部を備え、
供給される電源が電池である場合、前記クロック制御部は、前記トランスコード部が動作するときであっても供給するクロックの周波数を低くするように制御することを特徴とする記録再生装置。
【請求項３】
第１及び第２の記録メディアを装着しこれに映像音声信号を記録及び再生する記録再生装置において、
入力する映像音声信号を圧縮符号化して上記第１又は第２の記録メディアに記録するエンコード部と、
上記第１又は第２の記録メディアから映像音声信号を再生し伸長復号化して出力するデコード部と、
上記第１の記録メディアから再生された映像音声信号を伸長復号化した後、再度圧縮符号化して上記第２の記録メディアに記録するトランスコード部を備え、
上記エンコード部及び上記トランスコード部は、映像音声信号を圧縮符号化するためのエンコーダを共通に所有し、
上記デコード部及び上記トランスコード部は、映像音声信号を伸長復号化するためのデコーダを独立に所有することを特徴とする記録再生装置。
【請求項４】
請求項３に記載の記録再生装置であって、
前記デコード部により、前記第１の記録メディアから映像音声信号を再生し伸長復号化して出力する再生処理と、
前記トランスコード部により、前記第１の記録メディアから再生された映像音声信号を伸長復号化した後、再度圧縮符号化して前記第２の記録メディアに記録するダビング処理とを、時間的に並行して実行することを特徴とする記録再生装置。
【請求項５】
記録メディアを装着しこれに映像音声信号を記録及び再生する記録再生装置において、
入力する映像音声信号を上記記録メディアに記録するために圧縮符号化するエンコーダと、
上記記録メディアから再生した映像音声信号を伸長復号化するデコーダと、
上記エンコーダ及び上記デコーダが動作する際に中間データを保持するメモリと、
上記メモリを制御するメモリ制御部を備え、
該メモリ制御部は、上記エンコーダ又は上記デコーダの動作状態に応じて、上記メモリにクロック又は電源を供給し、あるいは供給するクロックの周波数を変更するように制御することを特徴とする記録再生装置。
【発明の詳細な説明】
【技術分野】
【０００１】
本発明は、映像音声信号を符号化して記録再生する記録再生装置に関するものである。
【背景技術】
【０００２】
近年、映像音声信号をＭＰＥＧ圧縮技術などを用いてデジタル符号化（エンコード）し、ハードディスク（ＨＤＤ）や光ディスク（ＤＶＤ）などの記録メディアに記録するデジタルレコーダやビデオカメラが製品化されている。これらの記録機器では、たとえばＨＤＤやＤＶＤなどの複数の記録メディアを装着し、これらのメディアへの記録機能（エンコード処理）とこれらのメディアからの再生機能（デコード処理）を有する。さらに、一度記録したデータをバックアップあるいは長期保管するために、記録したデータを２つのメディア間でダビングする機能を有する。このダビングの際には、圧縮レートを変更することを目的とするため、又はメディア間で圧縮符号化規格が異なるために、元の圧縮映像音声信号の符号化方式を変換して再符号化するトランスコード処理を行うことが多い。
【０００３】
例えば特許文献１には、このトランスコード処理を高速に行うために、複数のトランスコード装置を使用して並列に処理する方式において、複数のトランスコード装置へ供給するファイル（符号ストリーム）をいかに分割して読み出すかについて開示されている。
【先行技術文献】
【特許文献】
【０００４】
【特許文献１】特開２００１−８６４６０号公報
【発明の概要】
【発明が解決しようとする課題】
【０００５】
特にモバイル用途の記録再生装置では、録画時間の増大に伴い、消費電力の更なる低減が要請されている。記録、再生時のエンコード、デコード処理と、ダビング時のトランスコード処理においては、それぞれ中間データをメモリに保存しながら処理を行うが、メモリデバイスを駆動するために多くの電力を消費する。また、動作モードによって必要とするメモリの容量は異なり、消費電力を考慮したより効率的なメモリの使用法が必要になる。上記特許文献１を含め、従来、メモリデバイスにおける消費電力を低減することについては十分な配慮がなされていなかった。
【０００６】
本発明の目的は、記録、再生時のエンコード処理、デコード処理で使用するメモリにて消費する電力を低減することで、記録再生装置の低消費電力化を実現することである。
【課題を解決するための手段】
【０００７】
本発明は、第１及び第２の記録メディアを装着しこれに映像音声信号を記録及び再生する記録再生装置において、入力する映像音声信号を圧縮符号化して上記第１又は第２の記録メディアに記録するエンコード部と、第１又は第２の記録メディアから映像音声信号を再生し伸長復号化して出力するデコード部と、第１の記録メディアから再生された映像音声信号を伸長復号化した後、再度圧縮符号化して第２の記録メディアに記録するトランスコード部と、エンコード部、デコード部及びトランスコード部が動作する際に中間データを保持するための複数のメモリと、メモリに供給するクロックを制御するクロック制御部を備え、クロック制御部は、エンコード部、デコード部及びトランスコード部のうち動作中のものが使用するメモリにのみクロックを供給するように制御する。
【０００８】
さらにメモリに供給する電源を制御するメモリ電源制御部を備え、メモリ電源制御部は、エンコード部、デコード部及びトランスコード部のうち動作中のものが使用するメモリにのみ電源を供給するように制御する。
【０００９】
さらに、当該装置に供給される電源が電池であるか外部電源であるかを判別する電源判別部を備え、供給される電源が電池であってトランスコード部が動作する場合には、前記クロック制御部は、メモリへのクロックの供給を停止する。
【００１０】
本発明は、第１及び第２の記録メディアを装着しこれに映像音声信号を記録及び再生する記録再生装置において、入力する映像音声信号を圧縮符号化して第１又は第２の記録メディアに記録するエンコード部と、第１又は第２の記録メディアから映像音声信号を再生し伸長復号化して出力するデコード部と、第１の記録メディアから再生された映像音声信号を伸長復号化した後、再度圧縮符号化して上記第２の記録メディアに記録するトランスコード部と、エンコード部、デコード部及びトランスコード部が動作する際に中間データを保持するメモリと、メモリに供給するクロックの周波数を制御するクロック制御部を備え、クロック制御部は、エンコード部又はデコード部が動作するときは供給するクロックの周波数を低くし、トランスコード部が動作するときは供給するクロックの周波数を高くするように制御する。
【００１１】
本発明は、第１及び第２の記録メディアを装着しこれに映像音声信号を記録及び再生する記録再生装置において、入力する映像音声信号を圧縮符号化して第１又は第２の記録メディアに記録するエンコード部と、第１又は第２の記録メディアから映像音声信号を再生し伸長復号化して出力するデコード部と、第１の記録メディアから再生された映像音声信号を伸長復号化した後、再度圧縮符号化して第２の記録メディアに記録するトランスコード部を備え、エンコード部及びトランスコード部は、映像音声信号を圧縮符号化するためのエンコーダを共通に所有し、デコード部及びトランスコード部は、映像音声信号を伸長復号化するためのデコーダを独立に所有する。
【００１２】
ここに前記デコード部により、第１の記録メディアから映像音声信号を再生し伸長復号化して出力する再生処理と、前記トランスコード部により、第１の記録メディアから再生された映像音声信号を伸長復号化した後、再度圧縮符号化して第２の記録メディアに記録するダビング処理とを、時間的に並行して実行する。
【発明の効果】
【００１３】
本発明によれば、記録再生装置の各動作モードにおける無駄な消費電力を低減し、特に電源が電池駆動の場合に電池の消耗を防止することができる。
【図面の簡単な説明】
【００１４】
【図１】本発明による記録再生装置の一実施例を示すブロック構成図（実施例１）。
【図２】本実施例の記録再生装置の備える動作モードを示す図。
【図３】動作モードとクロック供給の関係を示す図。
【図４】動作モードとクロック周波数の関係を示す図。
【図５】本発明による記録再生装置の他の実施例を示すブロック構成図（実施例２）。
【図６】本実施例における動作モードと使用可能な電源の関係を示す図。
【図７】本発明による記録再生装置のダビング処理の一実施例を示す図（実施例３）。
【図８】ユーザによるダビング設定画面の一例を示す図。
【発明を実施するための形態】
【００１５】
以下、本発明の実施の形態を図面を用いて説明する。
【実施例１】
【００１６】
図１は、本発明による記録再生装置の一実施例を示すブロック構成図である。記録再生装置１は、記録メディアとして、ハードディスクドライブ（ＨＤＤ）１２とＢｌｕ−ｒａｙ  Ｄｉｓｃ（ＢＤ）ドライブ１３と備える。入力端子１６から入力されたデジタルオーディオ信号及びデジタルビデオ信号（以下、ＡＶ信号）を、圧縮伸長部１１にて圧縮符号化して、これらの記録メディアに記録する。また、記録メディアに記録されているデータを再生し、圧縮伸長部１１にて伸長復号化して、出力端子１７から出力し、外部のディスプレイ機器に出力する。更にダビング動作として、ＨＤＤ１２に記録されているデータを、そのビットレートや解像度を変換しつつＢＤドライブ１３に再記録するトランスコード処理を行う。トランスコードの際は、圧縮伸長部１１にて伸長復号化と圧縮符号化の双方の処理を行う。
【００１７】
圧縮伸長部１１はＬＳＩとして構成され、その内部には、エンコード部とデコード部とトランスコード部を有する。エンコード部としてはＡＶ信号を圧縮符号化するエンコーダ１１３、デコード部としてはＡＶ信号を伸長復号化するデコーダ１１１、トランスコード部としては、デコーダ１１２とエンコーダ１１３を含む。さらに、各記録メディアとのインタフェースであるメディアインタフェース（メディアＩＦ）１１０、信号源を選択するセレクタ１１４、及びクロック制御部１１５を有する。また、メモリ１４，１５はＬＳＩの外部に設けた例えばＳＤＲＡＭであり、デコーダ１１１，１１２とエンコーダ１１３の処理時にそれぞれの中間データを保持する。クロック制御部１１５とメモリ電源制御部１８は、メモリ１４，１５へのクロック供給と電力供給とを制御する。
【００１８】
図２は、本実施例の記録再生装置の備える動作モードを示す図である。スタンバイ状態（Ｍ２００）を起点に、記録再生モードとして、ＨＤＤ記録（Ｍ２０１）、ＨＤＤ再生（Ｍ２０２）、ＢＤ記録（Ｍ２０３）、ＢＤ再生（Ｍ２０４）の各モードを有する。さらにダビングモードとして、ＨＤＤからＢＤへのトランスコード（Ｍ２０５）と、ＨＤＤからＢＤへのトランスコード及びＨＤＤの再生（Ｍ２０６）が可能である。図中の矢印は、各モード間の遷移が可能であることを示す。
【００１９】
以下各動作モードについて説明する。
＜記録モード＞
入力端子１６から入力されたＡＶ信号をＨＤＤあるいはＢＤに記録する場合（Ｍ２０１，Ｍ２０３）を説明する。入力端子１６から入力されたＡＶ信号は、信号のセレクタ１１４を介して、エンコーダ１１３に入力される。エンコーダ１１３では、例えば、ＭＰＥＧ規格やＨ．２６４規格などの圧縮符号化を行う。この際、外部に接続したメモリ１５に途中の中間データを保持しつつ処理を行う。
【００２０】
エンコーダ１１３では、メモリ１５に中間データを書き込み及び読出ししながら、ビットストリーム化及びパケタイズしたＡＶデータをメディアＩＦ１１０に転送する。メディアＩＦ１１０では、転送されたデータをＨＤＤ１２もしくはＢＤドライブ１３への通信プロトコル（例えばＡＴＡ／ＡＴＡＰＩなどの信号規格）に変換し、記録先として選択されたメディアに記録する。
【００２１】
＜再生モード＞
ＨＤＤあるいはＢＤに記録されたデータを再生する場合（Ｍ２０２，Ｍ２０４）を説明する。ＨＤＤ１２もしくはＢＤドライブ１３に記録されたデータは、メディアＩＦ１１０を介して読み出され、デコーダ１１１に転送される。デコーダ１１１では、処理中の中間データを外部に接続したメモリ１４に保持しつつ、符号化データの伸長復号化を行う。伸長後のＡＶ信号は、ＲＥＣ６５６などのデジタルビデオ信号あるいはＰＣＭ音声信号として外部端子１７に出力し、外部に接続されたディスプレイ機器及びスピーカ装置によって映像、音声信号が再生される。
【００２２】
上記記録再生モードにおける圧縮符号化及び伸長復号化処理では、画像フレーム間の相関を用いて圧縮・伸長処理を行う。よって外部に接続する各メモリ１５，１４は、複数フレームの画像データを保持する必要があるため、数ＭＢｙｔｅから数１０ＭＢｙｔｅの容量の大きいメモリデバイスを用いる。更に、各フレーム間で相関の高い箇所をマクロブロック（ＭＢ）と呼ばれる小画素領域ごとに比較するため、アクセススピードが高いメモリデバイスが必要とされる。入力画像を一度蓄積したり、作成したビットストリームを格納するためのメモリ領域なども必要とする。このため、メモリデバイスとしてはＳＤＲＡＭが好適である。
【００２３】
＜トランスコードモード＞
ＨＤＤに記録されたデータをトランスコードしてＢＤにダビングする場合（Ｍ２０５）について説明する。まず、ＨＤＤ１２に記録された符号化データをメディアＩＦ１１０を介して読み出し、デコーダ１１２によって再生時と同様に伸長復号化する。この際、処理に必要な中間データは、外部メモリ１４にて保持する。復号されたデータはセレクタ１１４を介してエンコーダ１１３に転送され、ビットレートや解像度を変換しつつ再度圧縮符号化する。符号化されたデータはメディアＩＦ１１０を介してＢＤドライブ１３に送り、ＢＤに記録する。
【００２４】
本実施例の構成では、入力端子１６から入力したＡＶ信号をメディアに記録する場合と、メディア間でトランスコード処理を行う場合において、エンコーダ１１３を共通に用いて処理している。また、外部メモリについて言えば、エンコーダ１１３が使用するメモリ１５を独立化し、再生モード時のデコーダ１１１とトランスコード時のデコーダ１１２が使用するメモリを共通化（メモリ１４）している。これは、圧縮符号化時には動き予測を行うために、復号化時よりも多くのメモリ容量を必要とするからである。
【００２５】
上記したメモリ１４，１５として、例えば、ＨＤ規格（Ｈｉｇｈ  Ｄｅｆｉｎｉｔｉｏｎ、解像度＝水平画素１９２０×垂直画素数１０８０）の画像を取り扱う場合には、１６ｂｉｔ幅で２６６ＭＨｚ以上のＤＤＲ−ＳＤＲＡＭ（Ｄｏｕｂｌｅ  Ｄａｔａ  Ｒａｔｅ−ＳＤＲＡＭ）などを２個用いるなどする。圧縮符号・復号化する画像サイズの拡大に伴い、メモリの容量及びデータレート（クロック周波数）は増大する傾向にある。このため、記録再生装置の消費電力を増加させる要因の中で、各メモリを駆動するための電力は大きな要因となる。また、圧縮伸長部１１をＬＳＩ化した際、外部メモリとの接続端子において必要とされる消費電力はＬＳＩ消費電力の支配的要因のひとつとなる。この消費電力は、ビット幅および動作クロックに比例し、一般に上記のＳＤＲＡＭへのアクセスの場合、数百ｍＷ程度の電力が消費される。
【００２６】
また、外部のＳＤＲＡＭ−ＩＣの消費電力も装置内で大きな比率を占める。例えば、上記ＤＤＲ−ＳＤＲＡＭを８０％の使用率で稼動した場合、１コマンドに必要とする電流が８０〜１２５ｍＡ程度で内部電圧が１．８Ｖとすると、１個のメモリデバイス当たり約１１５〜１８０ｍＡ程度の電力を消費する。これらの消費電力は、ＳＤＲＡＭへのアクセス率とクロック周波数にほぼ比例する。また、アイドリング状態でも、クロックが停止するパワーダウンモード以外では、２０ｍＷ程度の電力を必要とする。
【００２７】
本実施例ではこれらの消費電力を低減するため、上記したように、エンコーダ、デコーダ毎の中間データを格納するメモリを区別して割り当てる。さらに、クロック制御部１１５及びメモリ電源制御部１８は、各メモリを動作させるために必要なクロック及び電源の供給を、装置の動作状態に応じて停止するように制御することで消費電力の低減を図る。
【００２８】
図３は、動作モードとクロック供給の関係を示す図である。例えば、ＨＤＤ又はＢＤのメディアに記録を行うモード（図２のＭ２０１，Ｍ２０３）では、クロックをエンコーダ用のメモリ１５に供給するだけで、デコーダ用のメモリ１４への供給を停止する。また、ＨＤＤ又はＢＤのメディアから再生を行うモード（Ｍ２０２，Ｍ２０４）では、クロックをデコーダ用のメモリ１４に供給するだけで、エンコーダ用のメモリ１５への供給を停止する。ＨＤＤからＢＤへトランスコードするモード（Ｍ２０５，Ｍ２０６）では、両方のメモリ１４，１５へクロックを供給する。このように、動作モードに応じて動作するメモリの個数を増減させ、トランスコードモード時はメモリ個数を増加させるようにする。
【００２９】
クロック制御部１１５により、エンコーダ又はデコーダにより使用されていないメモリへのクロック供給を停止することで、無駄な消費電力を低減することができる。さらには、クロック供給を停止するだけでなく、メモリ電源制御部１８によりメモリへの電源供給を停止することで、さらに消費電力を低減することができる。
【００３０】
一般にトランスコード動作は、ＨＤＤからＢＤへのバックアップを行う場合のみに必要になるもので、装置の動作の中でその稼動比率は非常に低い。これに対し記録又は再生モードは稼動比率が高く、そのモードで必要なメモリだけを動作させることは、消費電力の低減に大きく寄与する。
【００３１】
本実施例では、装置の動作状態に応じてメモリへのクロック供給及び電力供給を制御（停止）するものであるが、他の方法として、メモリクロック制御部１１５によりメモリへ供給するクロック周波数を制御する方式としても良い。
【００３２】
図４は、動作モードとクロック周波数の関係を示す図である。即ち、記録・再生モード（図２のＭ２０１〜Ｍ２０４）では、メモリ１４，１５へ供給するクロックの周波数を低くし、トランスコードモード（図２のＭ２０５，Ｍ２０６）では、メモリ１４，１５へ供給するクロックの周波数を高くする。これにより、通常のメディアへの記録・再生時には、消費電力を抑えることが可能となる。なおこの場合には、メモリ１４とメモリ１５を共通化しても良い。
【００３３】
本実施例では、動作モードが記録、再生及びトランスコード処理の場合、メモリへのクロックと電源の供給をどのように制御するかについて説明したが、これに限らない。すなわち、動作モードは装置のアプリケーションによってこれ以外に様々な形態が可能であり、それに応じて必要とするメモリも変化する。よって、各動作モードで必要とされるメモリのみに対して、クロック及び電源を供給し、あるいは必要なクロック周波数を設定するように制御することで、装置の消費電力を低減することができる。
【００３４】
本実施例では、動作しないメモリへのクロックと電源の供給を抑制するために制御回路を用いる構成としたが、動作しないメモリをパワーダウンモードにするためのコマンドを発行する構成としても良い。そして、動作が再開する際に再びパワーダウンモードを解除することで、本実施例と同様の効果を得ることができる。
【実施例２】
【００３５】
図５は、本発明による記録再生装置の他の実施例を示すブロック構成図で、前記実施例１の装置をビデオカメラに適用した場合である。本実施例では、入力端子１６の代わりに、カメラ入力部として、撮像部２１及びカメラ信号処理部２２を接続し、入力したＡＶ信号を記録再生する。また、使用電源は電池駆動方式となるが、外部電源（ＡＣ電源など）を接続して使用することも可能である。電源判別部１９は使用する電源を判別し、制御部２０は判別結果に応じて装置の動作を制御する。他の構成要素は実施例１と同様である。
【００３６】
ビデオカメラのようなモバイル用機器の電源は電池駆動方式となるので、特に電池の消耗を防ぐことが要求される。そこで本実施例では、動作モードに応じて使用可能な電源を制限する。
【００３７】
図６は、本実施例における動作モードと使用可能な電源の関係を示す図である。記録・再生動作は外部電源、電池ともいずれの電源でも実行可能であるが、トランスコード動作は電池駆動の場合には禁止し、外部電源により駆動されている時に限って実行可能とする。前記したように、記録・再生動作時に比較し、トランスコード動作時には消費電力が大きくなる。よって、トランスコード処理は外部電源の場合のみ可能として、電池からの電力消費を低減するものである。記録・再生処理は室外等で行う場合が多いので電池駆動は必須であるが、トランスコード処理は、ほとんどの場合、撮影後に自宅やオフィスなどで行うので、外部電源（ＡＣ電源）に限定しても支障は少ない。これにより、ユーザがトランスコード動作を行う場合、不用意に電池を消耗させることを防ぐことができる。
【００３８】
トランスコード動作を禁止するには、前記実施例１に述べた方法を用いることができる。すなわち、制御部２０はクロック制御部１１５やメモリ電源制御部１８を制御して、トランスコードで使用するメモリへのクロック供給を停止する、さらには電源供給を停止する、あるいは供給するクロック周波数を低くするなどにより、トランスコード処理を実行できないようにする。
【００３９】
また、ユーザが、スタンバイ状態（図２のＭ２００）からトランスコード状態（Ｍ２０５）に遷移させようと操作指示した場合、上記電源判別部１９は、いずれの電源に接続されているかを判別し、外部電源接続時にのみトランスコード状態（Ｍ２０５）に遷移させ、電池接続の時には、遷移を禁止する旨を表示してユーザに通知することもできる。
【実施例３】
【００４０】
図７は、本発明による記録再生装置のダビング処理（トランスコード処理）の一実施例を示す図である。本実施例では、ユーザによるダビング設定操作と装置による実際のダビング処理を時間的にオーバーラップして実行するもので、図７はそれらの時間関係を示したものである。符号３０１，３０２，３０３は、ユーザによるダビング動作の設定期間で、３回の設定操作（設定１〜設定３）を受付けるとする。符号３１１，３１２，３１３は、それぞれの設定１〜３に従って実行するダビング処理１〜３の期間を示す。ダビング設定１（３０１）が完了すると引き続きそれで設定されたダビング処理１（３１１）を実行するが、ダビング処理１を実行している間に次の設定２（３０２）や設定３（３０３）を受付けることができる。従来は、ダビング設定操作と実際のダビング処理は交互に行っていたが、本実施例ではこれらを並行して行うことで、ダビング処理を複数回行う場合のトータルの所要時間を短縮することができる。
【００４１】
図８は、ユーザによるダビング設定画面４００の一例を示す図である。ここでは、例えば図１のＨＤＤ１２からＢＤ１３へダビングすることを想定する。
【００４２】
ダビング元（ＨＤＤ１２）に記録されているＡＶソース群は、シーケンス群４０１（ｓｅｑ１〜ｓｅｑ５）として表示される。ユーザはこの中から、外部リモコン等で、ダビングする候補４０２として例えばｓｅｑ３を選択する。選択された候補４０２は、時間軸４０３にその再生時間が表示される。ユーザはその中でダビングしたい部分の開始点４０６と終了点２０７を決定する。また、ダビング内容の確認のため、プレビュー画面４０８には、時間軸上の位置４０５についてのダビング元のＡＶデータを再生（デコード）し映像を表示する。
【００４３】
ダビング対象のソースと期間が決定されると、ダビングリスト４０９に対象リストとして逐次追加表示される。例えばｌｉｓｔ１とｌｉｓｔ２は、既にダビング対象として確定された部分であり、これに現在編集中の確定部分４１０としてｌｉｓｔ３が追加されている。ダビングリスト４０９が完成すると、ユーザはダビング開始を指示する。
【００４４】
記録再生装置は、ダビングリスト４０９に従い、ＨＤＤ１２からダビング対象部分を順次読み出し、トランスコード処理を行った後ＢＤ１３にダビング記録する。このダビング処理中に新たなダビング処理の設定を行いたい場合、ユーザは、再度図８の設定画面を起動し、次のダビング設定を並行して行うことができる。
【００４５】
このように本実施例では、図２の動作モード（Ｍ２０６）に示したように、ダビング処理中（トランスコード処理中）に同時にダビング元（ＨＤＤ）からの再生処理（プレビュー）も可能である。このような並行動作をどのように行うかについて、図１の装置構成を用いて説明する。
【００４６】
まずダビング処理の際は、ＨＤＤ１２から読み出したＡＶストリームは、メディアＩＦ部１１０を経由してデコーダ１１２に送り、ここで復号化されたＡＶデジタル信号とする。このＡＶ信号を、セレクタ１１４を経由してエンコーダ１１３に送り、再び圧縮符号化してＡＶストリームとする。このＡＶストリームを、メディアＩＦ１１０を介してＢＤ１３にダビング記録する。
【００４７】
次に再生処理（プレビュー画面出力）の際は、ＨＤＤ１２からプレビュー用のＡＶストリームをメディアＩＦ１１０を介して読み出し、デコーダ１１１に送る。デコーダ１１１はＡＶストリームを復号化してＡＶ信号とし、ＡＶ出力端子１７を介して図示しない表示装置のプレビュー画面に映像を出力し、ユーザはこれを確認する。
【００４８】
このように本実施例では、ダビング（トランスコード）用のデコーダ１１２とプレビュー再生用のデコーダ１１１とを独立に有しているため、ダビングとプレビュー再生との同時処理が可能となる。これにより、図７に示すように、ダビング処理にオーバーラップして新たなダビング設定処理を進めることができる。その結果、複数回に分けてダビング処理を行う場合、ダビングに要するトータルの所要時間を短縮することが可能である。
【００４９】
上記各実施例では、記録メディアとしてＨＤＤとＢＤを例に述べたが、これらに限定されない。例えばリムーバブルＨＤＤ、その他の光ディスクメディア（ＤＶＤ、ＣＤなど）、リムーバブルメモリデバイスであっても、同様の効果が得られることは明らかである。
【符号の説明】
【００５０】
１…記録再生装置
１１…圧縮伸長部
１２…ハードディスクドライブ
１３…ＢＤドライブ
１４，１５…メモリ
１６…ＡＶ信号入力端子
１７…ＡＶ信号出力端子
１８…メモリ電源制御部
１９…電源判別部
２０…制御部
２１…撮像部
２２…カメラ信号処理部
１１０…メディアＩＦ
１１１，１１２…デコーダ
１１３…エンコーダ
１１４…セレクタ
１１５…クロック制御部。
【図１】
2011259466.tif 000003
【図２】
2011259466.tif 000004
【図３】
2011259466.tif 000005
【図４】
2011259466.tif 000006
【図５】
2011259466.tif 000007
【図６】
2011259466.tif 000008
【図７】
2011259466.tif 000009
【図８】
2011259466.tif 000010